(57)【要約】【課題】  マウスガード１０は、内視鏡あるいは患者の口に入れるべき同様の器具を必要とする医療処置を受ける患者に使用されるために記載される。【解決手段】  マウスガード１０は、硬いチューブ状のマウスピース１２を備える。マウスピース１２は、抑止用ストラップ１４と一体的に形成されている。ストラップ１４は、患者の頭を包囲する大きさであり、柔軟性を有する。固定手段２２，２４は、ストラップ１４の一端に備えられ、快適な位置に装置を固定するために、ストラップ１４の他端に備えられた複数の開口部２６のひとつに取り付けられる。【選択図】  図２
2005081145.tif 000002
【特許請求の範囲】
【請求項１】
患者の口に入れられるべき硬いチューブ状のマウスピースと、
マウスピースと一体になっており、患者の頭を包囲する寸法の柔軟性のあるストラップからなる抑止用部材と、
所定の位置にストラップとマウスガードを固定する固定手段と、
を備えることを特徴とする医療処置用マウスガード装置。
【請求項２】
前記固定手段が調節可能であることを特徴とする請求項１に記載のマウスガード装置。
【請求項３】
前記固定手段は、装置の一端に形成された突起と、装置の他端に形成された一連の孔とを備え、所定の位置に装置を固定するために、使用するときに突起は、孔のうちの適切なひとつに通されることを特徴とする請求項２に記載のマウスガード装置。
【請求項４】
前記ストラップは、孔の近傍で狭くなっていることを特徴とする請求項３に記載のマウスガード装置。
【請求項５】
柔軟性のあるストラップに形成された少なくともひとつの細長いスロットをさらに含むことを特徴とする請求項１から４のいずれかに記載のマウスガード装置。
【請求項６】
チューブ状のマウスピースに形成されたエラストマー外部層をさらに備えることを特徴とする請求項１から５のいずれかに記載のマウスガード装置。
【請求項７】
前記チューブ状のマウスピースは、長円形、あるいは楕円形の切断面を有することを特徴とする請求項１から６のいずれかに記載のマウスガード装置。
【請求項８】
前記ストラップは、使用する際、患者の唇を十分に覆うために、マウスピースの周辺で広がっていることを特徴とする請求項１から７のいずれかに記載のマウスガード装置。
【請求項９】
使用する際、患者の口へのアクセスを許可するために、マウスピースの近傍のストラップの中に少なくともひとつの追加の開口部をさらに備えることを特徴とする請求項１から８のいずれかに記載のマウスガード装置。
【請求項１０】
付属する図面を参照し、明細書に記載されたマウスガード装置。
【発明の詳細な説明】
【技術分野】
【０００１】
本発明は、内視鏡あるいは患者の口に入れるべき同様の器具を必要とする医療処置を受ける患者に使用するマウスガードに関する。
【背景技術】
【０００２】
内視鏡を患者の口に入れ、かつ喉に通す内視鏡検査は、患者にとって、苦痛な処置である。
【発明の開示】
【０００３】
処置を妨げるために、あるいは器具にダメージを与えるために、医療器具が口を通り抜けるときに、患者は医療器具を噛む傾向にある。
【０００４】
本発明は、医療処置用マウスガード装置を提供する。マウスガード装置は、患者の口に入れられるべき硬いチューブ状のマウスピースと、マウスピースと一体になっており、患者の頭を包囲する寸法の柔軟性のあるストラップからなる抑止用部材と、所定の位置にストラップとマウスガードを固定する固定手段を備える。
【０００５】
それゆえ、発明は、所定の位置おいて安全であるが快適に保持され、患者に噛むための物を与え、処置を容易に実行するために医療器具を挿入するための小さくならない孔を備えるマウスピースを提供することによって、患者の快適性を改善する。
【０００６】
好ましくは、固定手段は、調節可能であってもよい。そのため、快適でありながらも、異なった患者に適用するため、異なった位置にストラップを固定できる。
【０００７】
固定手段は、装置の一端に形成された突起と、装置の他端に形成された一連の孔を備えてもよい。それによって、所定の位置に装置を固定するために、使用するときに突起は、孔のうちの適切なひとつに通される。
【０００８】
好ましくは、ストラップは、孔の近傍で狭くなっていてもよい。これによって、柔軟性を増加させ、装置の固定を助けられる。
【０００９】
ストラップは、少なくともひとつの細長いスロットを備えていてもよい。それによって、さらに柔軟性を提供し、装置を固定しながら患者の快適性を向上できる。
【００１０】
チューブ状のマウスピースは、エラストマー外部層を備えていてもよい。これによって、患者が噛むことのできる柔軟な表面を提供できる。
【００１１】
チューブ状のマウスピースは、長円形、あるいは楕円形の切断面を有していてもよい。これによって、患者の口に快適に固定される。
【００１２】
ストラップは、使用する際、患者の唇を十分に覆うために、マウスピースの周辺で広がっていてもよい。
【００１３】
使用する際、患者の口へのアクセスを許可するために、マウスピースの近傍のストラップの中に、少なくともひとつの追加の開口部が備えられてもよい。
【発明を実施するための最良の形態】
【００１４】
発明は、付属する図面を参照しつつ、単なる例示としてその詳細が説明される。
【００１５】
図１と図２のように、マウスガード装置１０は、抑止用ストラップ１４に一体化されたチューブ状のマウスピース１２を含む。マウスピース１２は、短いチューブ１６によって構成される。また、チューブ１６は、好ましくは、硬いポリマー芯およびエラストマーの外部層によって形成される。近接端部において、チューブ１６は、後述のストラップ１４と一体的に形成される。遠心端において、チューブ１６は、リップ１８を提供するために、外面上フレアになっている。チューブ１６は、快適に患者の口の中に受け入れられるような大きさであり、患者が噛めるような柔軟な生地であるエラストマーの外部層を有している。硬い芯は、チューブ１６を通る医療器具が患者に噛まれることを防止する。さらに、硬い芯は、装置１０の全体に構造剛性をもたらし、ストラップ１４を固定する際のポイントとなる。
【００１６】
チューブ１６は、好ましくは、より快適に患者の口に適するように、縦よりも横に長いような、長円形、あるいは楕円形の切断面を有する。リップ１８は、患者の口の中でマウスピース１２の抑止を助け、例えば、内視鏡を引き抜くような、不測の無理な移動に抵抗する。
【００１７】
抑止用ストラップ１４は、マウスピース１２と一体に成型されたエラストマーの材料によって形成される。ストラップ１４は、患者の頭の周囲に適合し、後述のごとく、それ自体の上に固定されるように、十分に柔軟である。しかしながら、偶然引かれることに対して柔軟でない。例えばマウスピース１２から内視鏡が操作されているときに、偶然引かれれば、患者の顔からストラップ１４を引き離し、跳ね返ると、患者に痛みを与えるので危険である。
【００１８】
患者の頭のまわりにストラップを取り付けたときに、さらなる柔軟性と、快適性を与えるために、ストラップ１４には、少なくともひとつの細長いスロット２０が形成されてもよい。
【００１９】
異なった頭の大きさを有したさまざまの患者に装置１０を固定するために、ストラップ１４は、調節可能な固定手段を備える。この例では、マウスピース１２に近接したストラップ１４のひとつの端には、大きくなった頭２４を有した突出ラグ２２が形成されている。マウスピース１２から離れたストラップ１４の別の端には、一連の孔２６が形成されている。
【００２０】
装置１０を患者に固定するために、マウスピース１２は口の中に入れられ、ストラップ１４は、図３に示されるように頭の後ろに回される。ラグ２２は、所定の位置に装置１０を固定するために、孔２６のうちの適切なひとつに通される。ラグ２２の上にストラップ１４を取り付けたり、取り外したりすることを助けるために、ストラップ１４は、孔２６の近傍においてわずかに狭くなってもよい。その位置において、わずかに柔軟性が増加する。
【００２１】
ストラップ１４は、フェイスプレート２８を形成するために、マウスピース１２の周辺で広くなってもよい。フェイスプレート２８は、処置の間の防御と快適性のために、患者の唇を全体的に覆う。
【００２２】
一例として、ラグ２２から他端までのストラップ１４の長さは約６１０ｍｍであり、最大の幅は約４０ｍｍであり、マウスピースは約２７．５ｍｍの長さであってもよい。マウスピース１２の硬い芯は、シリコン、エラストマー層によって形成されてもよい。ストラップ１４は、食品級（フードグレード）ポリプロピレンであってもよい。装置１０は、オーバーモールド型や、ふたつのショットモールド法によって製造されてもよい。
【００２３】
本発明の第２の実施例は、図４ａから４ｃに示される。ここで、しかるべきところで同じ参照数字を使用する。本実施例の内視鏡マウスガード装置１０は、一般的に第１実施例と同様である。しかしながら、この場合、追加の開口部３０が、フェイスプレート２８近傍に、かつマウスピース１２の両側に設けられている。これらの開口部３０は、処置の間に内腔がふさがると、吸引のために、患者の口への追加のアクセスを提供する。
【００２４】
それゆえ、本発明は、マウスガード装置を提供する。マウスガード装置は、簡単に取り付けられ、内視鏡処置を行う患者に対して、最大の快適さと防御を提供する。そのうえ、医療器具自体をも防御し、処置を最も有効に実行するための器具の操作を容易にする。請求項に提示された発明の範囲から離れることなく、以上説明した詳細な説明に対する多くの変形や修正がなされてもよい。
【図面の簡単な説明】
【００２５】
【図１】本発明のひとつの実施例の正面図である。
【図２】図１の装置の背面を拡大した斜視図である。
【図３】患者の使用中の図１と図２の装置の斜視図である。
【図４】図４（ａ）−（ｃ）は、本発明の別の実施例での正面図、側面図、背面図である。
【符号の説明】
【００２６】
１  マウスガード装置、  １２  マウスピース、  １４  ストラップ、  １６  チューブ、  １８  リップ、  ２０  スロット、  ２２  ラグ、  ２８  フェースプレート、  ３０  開口部。
【図１】
2005081145.tif 000003
【図２】
2005081145.tif 000004
【図３】
2005081145.tif 000005
【図４】
2005081145.tif 000006